(57)【要約】【課題】  脚部の変形で鼻パッドの高さ位置及び水平方向の位置調整が可能で、高さ位置を変えないで水平方向に位置調整を行う場合や、高さ位置のみを調整して水平方向の位置を変えない場合にも簡単に対応が可能な眼鏡フレームの箱足の提供を目的とする。【解決手段】  眼鏡フレームの鼻パッドを支持する箱足において、前記眼鏡フレームに取り付けられる基部１ａと、この基部１ａから正面視及び側面視してＺ状に屈曲する第一の変形調整部１ａ，１ｂ，１ｃと、前記第一の変形調整部の先端からこの先端の延長方向に延びＵ字状に湾曲する第二の変形調整部１ｄ，１ｅとを有する構成としてある。【選択図】  図１
2015197481.tif 000002
【特許請求の範囲】
【請求項１】
眼鏡フレームの鼻パッドを支持する箱足において、
前記眼鏡フレームに取り付けられる基部と、
この基部から正面視及び側面視してＺ状に屈曲する第一の変形調整部と、
前記第一の変形調整部の先端から、この先端の延長方向に延びＵ字状に湾曲する第二の変形調整部と、
を有すること、
を特徴とする眼鏡フレームの箱足。
【発明の詳細な説明】
【技術分野】
【０００１】
本発明は、眼鏡フレームの鼻パッドを支持する箱足に関する。
【背景技術】
【０００２】
眼鏡フレームのレンズの間に配置された鼻パッドは、利用者の鼻に当接することで前記レンズを利用者の眼に対して適切な高さに位置決めする重要な役割を担う。この鼻パッドは、眼鏡フレームの工場出荷時には一定の状態で取り付けられているため、小売店にて、利用者の鼻と鼻パッドとの相対的な位置に合わせて適切に調整される。鼻パッドは、眼鏡フレームのブリッジやフロントフレームに取り付けられた箱足によって支持されるが、箱足の脚部を変形させることで鼻パッドの多少の位置調整は可能である。
【０００３】
眼鏡フレームに保持されるレンズの大きさには大小があり、レンズの大きさが変わるとレンズとレンズの間の間隔も大小変化することから、レンズの大きさの変化に応じて鼻パッドの水平方向の位置を適切に選択しなければならない。また、鼻の形状は人によって大きく異なり、鼻の形状の違いに応じて鼻パッドの位置も適切に選択しなければならない。
このように、鼻パッドの位置は、レンズの大きさの違いや鼻の高さや形状の違いなどに応じて大きく調整しなければならないことがあるが、現状の箱足ではこのような位置調整に対応することは困難である。特に、鼻パッドの高さ位置を維持したままで水平方向の位置調整を行ったり、水平方向の位置を維持したままで高さ位置を調整したりすることは現状の箱足では非常に困難であるという問題がある。
なお、鼻パッドの位置調整を大きくできるように脚長の長い箱足を用いることも考えられるが、例えば、大玉レンズ用の眼鏡フレームに小玉レンズにも対応できる脚長の箱足を用いたり、欧州仕向けの眼鏡フレームにアジア仕向けにも対応できる脚長の箱足を用いたりすると、欧州仕向けの眼鏡フレームにおいて余剰となった脚部がレンズ側に張り出してデザイン性を損なったり、余剰となった脚部が利用者の視野に入って目障りになったりするという問題が生じる。
このような問題が生じるため、レンズの大きさや各仕向け地に応じて箱足を専用に設計しているのが現状である。
【０００４】
しかし、レンズの大きさや仕向地等の相違に応じて箱足を専用に設計することは、メーカーや販売店、輸出入を行う商社等の在庫負担が大きいうえ、出荷数量に変化が生じた場合はメーカーに返品して箱足を交換しなければならず、メーカーにとっても作業負担が大きいうえ納期も遅くなるという問題があった。
【０００５】
このような問題を解決するための提案は以前からなされており、例えば特許文献１に記載の技術では、ノーズブリッジの位置を調整可能とすることで鼻パッドの位置調整を可能にしている。また、特許文献２に記載の技術では、鼻パッドを交換自在とすることで問題を解決しようとしている。さらに特許文献３に記載の技術では、鼻足（箱足）に対する鼻パッドの取り付け位置をボルト等で調整自在とすることで問題を解決しようとしている。
これら特許文献１〜３に記載の技術は、主として人種の相違等に起因する鼻の高さの違いに応じて鼻パッドの高さ位置を調整できるように工夫したものである。そのため、レンズの大きさに相違した水平方向の位置調整に対応することは困難であるうえ、箱足の構成が複雑になってコスト高になり、構成が複雑になるほど箱足が損傷し易くなるという新たな問題が生じる。
【先行技術文献】
【特許文献】
【０００６】
【特許文献１】特表２０１２−５０２３１８号公報
【特許文献２】特公平６−６４２６０号公報
【特許文献３】特開２００１−２４２４２５号公報
【特許文献４】登録実用新案第３００４４０７号公報
【発明の開示】
【発明が解決しようとする課題】
【０００７】
特許文献４には、脚部にＺ字状の部分を形成するとともに、前記Ｚ字状の部分から横方向に延びて湾曲するＵ字状の部分を有し、このＵ字状の部分とＺ字状の部分の屈曲状態を変えることで眼鏡着用者の鼻の高さに応じて鼻パッドの高さや向きを調整できるようにした技術が開示されている。
【０００８】
しかし、この文献に記載の技術は鼻パッドの高さや向きの調整には好適でも、レンズの大きさ等に応じて鼻パッドの水平方向の位置を調整する場合や高さ方向と水平方向の位置調整を同時に行おうとする場合には不向きである。すなわち、特許文献４に記載の技術では、例えば鼻パッドは高さ位置と水平方向の位置の調整を同時に行おうとする場合や、鼻パッドの高さ位置又は水平方向の位置を変えないで水平方向や高さ位置の調整を行おうとする場合など、多様な位置調整には未だ十分に対応できないという問題がある。また、Ｚ字状の部分から横方向に延びて湾曲するＵ字状の部分がレンズ側に張り出すことでデザイン性を損ない、かつ、利用者の視野に入って目障りになるという問題がある。
【０００９】
本発明はこのような問題を解決するためになされたもので、脚部を変形させるだけで鼻パッドの高さ位置調整や水平方向の位置調整が容易に行え、例えば高さ位置を変えないで水平方向に位置調整を行う場合や、高さ位置のみを調整して水平方向の位置を変えない場合など、多様な位置調整にも簡単に対応が可能で、かつ、デザイン性を損なわず余剰部分が視野に入って利用者の目障りになることもない眼鏡フレームの箱足の提供を目的とする。
【課題を解決するための手段】
【００１０】
上記目的を達成するために本発明の箱足は、眼鏡フレームの鼻パッドを支持する箱足において、前記眼鏡フレームに取り付けられる基部と、この基部から正面視及び側面視してＺ状に屈曲する第一の変形調整部と、前記第一の変形調整部の先端から、この先端の延長方向に延びＵ字状に湾曲する第二の変形調整部とを有する構成としてある。
【発明の効果】
【００１１】
本発明は上記のように構成されているので、前記第一の変形調整部と前記第二の変形調整部の変形を適宜に組み合わせることで、レンズ側に箱足の一部が張り出してデザイン性を損なったり、利用者の視野に入って目障りになったりする等の問題が生じることなく、鼻パッドの水平方向の位置及び高さ方向の位置の調整が簡単に行える。
そのため、レンズの大きさの違いに起因するレンズ間距離の大小や鼻の高さの高低及び鼻の形状の違いに応じて、鼻パッドの取り付け位置を簡単かつ自在に調整することが可能であるうえ、例えば鼻パッドの水平方向の位置を一定に維持したままで鼻パッドの高さ位置を調整したり、鼻パッドの高さ位置を一定に維持したままで鼻パッドの水平方向の位置を調整したりすることも容易である。
【発明を実施するための最良の形態】
【００１２】
本発明の箱足の好適な一実施形態を、図面を参照しながら詳細に説明する。
図１は、本発明の箱足の構成を説明するための六面図、図２は、図１の箱足を備えた眼鏡フレームの一例にかかり、（ａ）はフロント部分の正面図、（ｂ）は（ａ）のＩ−Ｉ方向断面図である。
なお、図１においては、箱足１を構成する各構成部分の方向を表すために直交軸（Ｘ軸，Ｙ軸，Ｚ軸）を示している。
【００１３】
図１及び図２に示すように、箱足１は、眼鏡フレーム２のブリッジ２ｂ又はレンズ２ａ．２ａを保持するフロントフレームに取り付けられる基部１ａと、この基部１ａの先端から斜め方向に伸びる斜行部１ｂと、この斜行部１ｂの先端から基部１ａとほぼ平行なＺ方向に伸びる第一直行部１ｃと、この第一直行部１ｃの先端からＺ方向に直交するＸ方向に向けてＵ字状に屈曲されたＵ字部１ｄと、このＵ字部１ｄの先端から第一直行部１ｃと平行なＺ方向に伸びる第二直行部１ｅと、この第二直行部１ｅの先端に形成され鼻パッドを取り付ける支持部１ｆとを有している。
【００１４】
斜行部１ｂは、図１の正面図及び背面図に示すようにＸ−Ｚ平面内でＸ軸及びＹ軸に対して屈曲角θ１で斜め方向に伸び、かつ、左右の側面図に示すようにＹ−Ｚ平面内でもＹ軸及びＺ軸に対して屈曲角θ２で斜め方向に伸びている。屈曲角θ１、θ２は異なる角度であってもよいし同一の角度であってもよい。
基部１ａ、斜行部１ｂ及び第一直行部１ｃでＺ字状の第一の変形調整部が構成されるが、この第一の変形調整部は、正面視しても側面視してもＺ形状を成している。
また、Ｕ字部１ｄはＸ−Ｚ平面とほぼ平行な面内に含まれるように形成され、このＵ字部１ｄと第二直行部１ｅとで第二の変形調整部が構成される。
【００１５】
鼻パッドを取り付ける支持部１ｆの位置は、前記第一の変形調整部を構成する斜行部１ｂ及び第一直行部１ｃの変形と、前記第二の変形調整部を構成するＵ字部１ｄ及び第二直行部１ｅの変形との組み合わせによって、水平方向及び上下方向に位置調整が自在である。
図３は支持部１ｆ（鼻パッド）の位置調整の一例にかかり、（ａ）は支持部１ｆのＺ方向の高さ位置を変えずにＸ方向に位置調整を行う場合を、（ｂ）は支持部１ｆのＹ方向及びＸ方向の位置を変えずにＺ方向の高さ位置の調整を行う場合を、（ｃ）は支持部１ｆのＺ方向及びＸ方向の位置を変えずにＹ方向に位置調整を行う場合を示している。
なお、図３の各図において変形前の状態を仮想線（二点鎖線）で示し、変形後の状態を実線で示している。
【００１６】
図３（ａ）の場合、支持部１ｆのＸ方向の位置調整は主として斜行部１ｂ及び第一直行部１ｃを曲げることで行ない、Ｘ方向の位置調整によるＺ方向の高さの変化は主としてＵ字部１ｄ及び第二直行部１ｅを適宜に曲げることで修正する。このようにすることで、支持部１ｆのＺ方向の高さ位置を変えずにＸ方向に位置調整を行うことができる。
【００１７】
図３（ｂ）の場合、支持部１ｆのＺ方向の高さ位置の調整は主としてＵ字部１ｄ及び第二直行部１ｅを曲げることで行い、Ｚ方向の高さ位置の調整によるＸ方向の位置の変化は主として斜行部１ｂ及び第一直行部１ｃを適宜に曲げることで修正する。このようにすることで、支持部１ｆのＸ，Ｙ方向の位置を変えずにＺ方向に高さ位置の調整を行うことができる。
図３（ｃ）の場合、支持部１ｆのＹ方向の位置の調整は主として第一直行部１ｃ及び第二直行部１ｅを曲げることで行い、Ｙ方向の位置調整によるＺ方向の位置の変化は主としてＵ字部１ｄを適宜に曲げることで修正する。このようにすることで、支持部１ｆのＺ，Ｘ方向の位置を変えずにＹ方向に高さ位置の調整を行うことができる。
【００１８】
このように、前記第一の変形調整部を構成する基部１ａ、斜行部１ｂ及び第一直行部１ｃと前記第二の変形調整部を構成するＵ字部１ｄと第二直行部１ｅとの折り曲げを適宜に組み合わせることで、支持部１ｆの水平方向の位置及び高さ位置を許容される範囲内で調整自在であるとともに、支持部１ｆの水平方向の位置を一定に維持したままで支持部１ｆの高さ位置を調整すること又は支持部１ｆの高さ位置を一定に維持したままで支持部１ｆの水平方向の位置を調整することも可能である。
【００１９】
本発明の好適な実施形態について説明したが、本発明は上記の説明に限定されるものではない。
例えば、本発明の箱足は、フルリムタイプ、ハーフリムタイプ、リムレスタイプのいずれのタイプの眼鏡フレームにも適用が可能である。
また、図３（ａ）〜（ｃ）では直交するＸ，Ｙ，Ｚの三軸に沿った方向への位置調整を行う場合を示しているが、本発明はＸ，Ｙ，Ｚの三軸方向に限らずあらゆる方向への鼻パッドの位置調整が可能である。
さらに、上記の実施形態では基部１ａを第一の変形調整部の構成要素として含めているが、基部１ａが眼鏡フレームに鑞付け等で強固に固着されていて事実上変形が不可能な場合は、第一の変形調整部に基部１ａを含ませなくてもよいし、基部１ａから延出させた変形可能な直線状の部分を第一の変形調整部の構成要素として含めてもよい。
【図面の簡単な説明】
【００２０】
【図１】本発明の箱足の構成を説明するための六面図である。
【図２】図１の箱足を備えた眼鏡フレームの一例にかかり、（ａ）はフロント部分を利用者の眼の側から視た背面図、（ｂ）は（ａ）のＩ−Ｉ方向断面図である。
【図３】支持部（鼻パッド）の位置調整の一例にかかり、（ａ）は鼻パッドのＺ方向の高さ位置を変えずにＸ方向に位置調整を行う場合を、（ｂ）は鼻パッドのＹ方向及びＸ方向の位置を変えずにＺ方向の高さ位置の調整を行う場合、（ｃ）は支持部のＺ方向及びＸ方向の位置を変えずにＹ方向に位置調整を行う場合を示している。
【符号の説明】
【００２１】
１          箱足
１ａ        基部
１ｂ        斜行部
１ｃ        第一直行部
１ｄ        Ｕ字部
１ｅ        第二直行部
１ｆ        支持部
２          眼鏡フレーム
２ａ        レンズ
２ｂ        ブリッジ
【図１】
2015197481.tif 000003
【図２】
2015197481.tif 000004
【図３】
2015197481.tif 000005